(57)【要約】植物の種類に応じて固有に必要とする適量の栽培水を調整可能に供給するとともに、植物を栽培する環境あるいは季節に対応させて栽培水を調整可能に供給する。二重鉢構造の植物栽培装置であり、係止突起４および該係止突起と同周上に位置する係止溝５を主体１の底部の外周に張出した状態で形成するととものに、該主体の底部に吸水体Ｃ１、Ｃ２を装着する通孔６を形成して構成した一対の容器Ａ１、Ａ２の底面を対向させ、各々の係止突起４と係止溝５を相互に係合して一体化することにより内鉢を構成し、該内鉢を外鉢Ｂ内に収容するようにする。
2003034808.tif 000002
【特許請求の範囲】
【請求項１】
係止突起および該係止突起と同周上に位置する係止溝を主体の底部の外周に張出した状態で形成するとともに、該主体の底部に吸水体を装着する通孔を形成した容器により内鉢を構成するようにしたことを特徴とする植物栽培装置。
【請求項２】
吸水体を装着する通孔の開口方向が角度変位する形状であることを特徴とする請求項１記載の植物栽培装置。
【請求項３】
係止突起および該係止突起と同周上に位置する係止溝を主体の底部の外周に張出した状態で形成するとともに、該主体の底部に吸水体を装着する通孔を形成して構成した一対の容器の底面を上下に対向させ、各々の係止突起と係止溝を相互に係合して一体化することにより上下容器の吸水体が接触した内鉢を構成し、該内鉢を外鉢内に収容するようにしたことを特徴とする植物栽培装置。
【請求項４】
内鉢の底面の係合角度を調整することにより植物栽培容器となる内鉢への給水率を調整できるようにしたことを特徴とする請求項３記載の植物栽培装置。
【請求項５】
内鉢の底面における吸水体の接触面積の程度を可視的に認識できるようにしたことを特徴とする請求項３記載の植物栽培装置。
【請求項６】
上部の容器の底部に吸収体を装着し、且つ、前記容器内部の底面を覆う吸水フィルタを敷設したことを特徴とする請求項３記載の植物栽培装置。
【発明の詳細な説明】
技術分野
本発明は、観賞用植物の植木鉢、屋上あるいはテラスガーデン用コンテナー、農作物育成用プランターなどとして好適な二重鉢構造の植物栽培装置に関するもので、特に内鉢の新規なる構成に関するものである。
背景技術
植木鉢などによる植物の栽培において、人手による日常の灌水作業の手間を省くようにした各種の装置は従来から種々開発されているが、本発明の出願人は、毛管作用体を用いた二重鉢構造の植物栽培装置を開発し、実用に供することができた。
図１１は本発明の出願人による二重鉢構造の植物栽培装置の一例であり、これは内鉢１０１と、該内鉢の全体を囲繞する大きさの外鉢１０２を主体とするもので、前記内鉢１０１を台座１０３に載置するようにしたものである。そして、前記内鉢１０１底部に開口した給水孔１０１Ａに保水体１０４を配し、該保水体に頂部を当接させた吸水器１０５を配置するようにしたものである。
このように構成された二重鉢構造の植物栽培容器では、吸水器１０５により内鉢１０１内へ栽培水Ｗの供給を長期に亘り安定的に行うことができるとともに、内鉢１０１を外鉢１０２で覆い隠すことができるので、外鉢１０２の材質を任意に選択したり、デザインの融通性を向上することが可能となった。
かかる構成による場合は、外観の意匠性を向上できるとともに長期に亘る給水を両立させ、いわゆるメンテナンスフリーの効果を向上するものであった。しかしながら多種多様の植物は個々に個性を具えるもので、水分を多く必要とするもの、あるいは控え目な水分であるほうが成長性がよいものなど微妙に相違するものであり、個々の植物に適度な水分を供給することは重要な課題である。
また、多くの植物は、例えば夏期と冬季では必要とする水分の量が相違するものであり、また屋内と屋外での栽培では培養土の乾燥の程度が相違し、適正な水分を一定に保つのは甚だ困難であった。特に図１１に示すごとき従来の二重鉢構造の植物栽培装置では、その給水孔からの栽培水の供給量が常に一定であり、栽培する植物を変更した場合にあっても栽培水の供給量を変更することができない。また、屋内、屋外など環境の変化あるいは季節の変化などに対応させて栽培水の供給量を調節できるものではなかった。
本発明は、上記従来の問題に鑑みなされたもので、植物の種類に応じて固有に必要とする適量の栽培水を供給できるようにするとともに、植物を栽培する環境あるいは季節に対応させて栽培水の供給を可能とするようにしたものである。また、本発明は、単一に成形した一対の栽培容器により内鉢を構成できるようにしたもので、併せて製作コストの低減も可能とするようにしたものである。
発明の開示
本発明は、係止突起および該係止突起と同周上に位置する係止溝を主体の底部の外周に張出した状態で形成するとともに、該主体の底部に吸水体を装着する通孔を形成した容器により内鉢を構成するようにした第１の構成と、上記第１の構成において、吸水体を装着する通孔の開口方向が角度変位する形状である第２の構成と、係止突起および該係止突起と同周上に位置する係止溝を主体の底部の外周に張出した状態で形成するとともに、該主体の底部に吸水体を装着する通孔を形成して構成した一対の内鉢の底面を上下に対向させ、各々の係止突起と係止溝を相互に係合して一体化することにより上下容器の吸水体が接触した内鉢を構成し、該内鉢を外鉢内に収容するようにした第３の構成と、上記第３の構成において、内鉢の底面の係合角度を調整することにより植物栽培容器となる内鉢への給水率を調整できるようにした第４の構成と、上記第３の構成において、内鉢の底面における吸水体の接触面積の程度を可視的に認識できるようにした第５の構成と、により上記課題を解決する。
発明を実施するための最良の形態
つぎに、本発明の実施の形態について詳細に説明する。なお、本発明の実施の形態を、植木鉢を代表例として説明するが、植物栽培装置として広範に実施し得るものであり、また、実施の対象は形態の大小に限定されるものではない。
図１は本発明の植物栽培装置の完成状態を示す縦断面図であり、同図において内鉢となる同一構成の一対の容器Ａ１・Ａ２は、その双方の底部が面接し、嵌脱自在となるように構成されている。即ち、前記容器Ａ１・Ａ２は、図２に示すごとく一般的な植木鉢と同様の有底形状で主体１を形成し、該主体の底部から派出する任意数（本実施例では３カ所）のステム２および該ステムの先端で接続された状態の外輪３が合成樹脂材料などにより一体に成形されており、さらに、前記ステム２にはアンダーカットにより頸部４Ａが形成された係止突起４が一体に成形されている。そして、主体１の扁平に成形された底面の外周と前記外輪３の内周との間に形成された空間が係止溝５となり前記係止突起４と係合するように配置構成されている。
容器Ａ１・Ａ２の底面には、不織布などによる吸水体を臨ませるための通孔６が形成されており、該通孔の容器内部には掛止板７が図３に示すごとく一体に成形されている。前記通孔６は角度によりその開口方向が変位する形状であることを要し、本実施例の場合は長方形に形成してある。なお、上部の容器Ａ１の通孔６には短尺状の吸水体Ｃ１が挿通され、下部の容器Ａ２の通孔６には長尺状の吸水体Ｃ２が挿通される。これにより、吸水体Ｃ１・Ｃ２のが容器Ａ１・Ａ２の底面に露出して接触可能となる。なお、上部の容器Ａ１の通孔６に短尺状の吸水体Ｃ１を装着した後、容器Ａ１内部の底面を覆う吸水フィルタを敷設しておくことにより、栽培中の植物の根毛が通孔６から下部の容器Ａ２に進入するのを防止することができる。
符号８は通気孔であり、容器Ａ１・Ａ２の底面に凹陥させて成形した通気路９を通じて該容器内の排気ならびに吸気が可能となるようにしてある。符号１０は容器Ａ１・Ａ２の開口縁に形成した凹部であり、栽培水Ｗの流通が可能となるようにしてある。  なお、符号Ｂは栽培水Ｗを貯留するとともに内鉢を収容する外鉢であり、栽培水の必要以上の貯留を防止するための排水孔１２が形成されている。
以上のごとく構成された一対の容器Ａ１・Ａ２を図１に示すごとく組み立てる場合は、容器Ａ１・Ａ２の双方の底面を対向させ、図４に示すごとく一方の容器の係止突起４を他方の容器の相対向する係止溝５の終端部にそれぞれ挿入し、底面を面接させたまま双方の容器を相互に反対方向へ回転させることにより係止突起４と係止溝５が係合し、上下の容器Ａ１・Ａ２が一体化する。
このようにして上下の容器Ａ１・Ａ２により内鉢が構成され、これを外鉢Ｂ内へ図１に示すごとく収容し、栽培水Ｗを注入すると、この栽培水Ｗはまず吸水体Ｃ２に吸引され、その毛管作用により吸水体Ｃ２の頂部、即ち、容器Ａ２の底面に露出している部分まで吸い上げられる。これにより、栽培水Ｗは上部の容器Ａ１の底面に露出して前記吸水体Ｃ２と接触している吸水体Ｃ１に吸引され、この吸水体Ｃ１から容器Ａ１の培養土Ｄに栽培水Ｗが放散され、給水を行うことができる。
ここで、栽培する植物の条件、あるいは環境条件により給水の量を調整する場合について説明する。上下の容器Ａ１・Ａ２を図４にもとづいて説明したように一体化し、上下の容器Ａ１・Ａ２を回転させていない状態では、吸水体Ｃ１・Ｃ２の接触面積は図５（Ａ）の斜線部分のごとく最小となる。そして容器を回転させてゆくに従って同図（Ｂ）に示すごとく次第に接触面積が大きくなり、最終的に同図（Ｃ）に示すごとく接触面積が最大となる。したがって、この接触面積の大小を適宜選択することにより植物への給水量を任意に調整することができる。
図６は吸水体Ｃ１・Ｃ２の接触面積の程度を可視的に認識できるようにしたもので、合いマーク１３を上部の容器Ａ１の外輪３に形成する一方、下部の容器Ａ２の外輪３に目印１４を施し、合いマーク１３の目印１４に対する位置で吸水体Ｃ１・Ｃ２の接触面積を間接的に認識できるようにしたものである。また、図７は下部の容器Ａ２の外輪３の内周に任意のピッチで複数の凹嵌部１５を形成したもので、係止突起４がこの凹嵌部１５で間欠的に停止し、いわゆるクリックストップするようにしたものであり、任意の回転停止位置で吸水体Ｃ１・Ｃ２の接触面積を間接的に認識できるようにしたものである。
図８は本発明の容器の他の構成例を示すもので、通孔６ならびに掛止板７を容器Ａ１・Ａ２の底面の外周側に形成したもので、これを組み立てる場合は、容器Ａ１・Ａ２の双方の底面を対向させ、図９に示すごとく一方の容器の係止突起４を他方の容器の相対向する係止溝５の終端部にそれぞれ挿入し、底面を面接させたまま双方の容器を相互に反対方向へ回転させることにより係止突起４と係止溝５が係合し、上下の容器Ａ１・Ａ２が一体化する。
このようにして、上下の容器Ａ１・Ａ２を一体化する過程において、容器を相互に反対方向へ回転させる当初は、図１０（Ａ）に示すごとく吸水体Ｃ１・Ｃ２は殆ど接触していない状態にあり、容器Ａ１・Ａ２を回転させてゆくに従って同図（Ｂ）に示すごとく吸水体Ｃ１・Ｃ２の接触面積が次第に大きくなり、最終的に同図（Ｃ）に示すごとく接触面積が最大となる。したがって、この接触面積の大小を適宜選択することにより植物への給水量を任意に調整することができる。
産業上の利用可能性
以上、詳細に説明したごとく本発明の植物栽培装置によれば、植物の種類に応じて固有に必要とする適量の栽培水を調整可能に供給することができとともに、植物を栽培する環境あるいは季節に対応させて栽培水を調整可能に供給することができる。また、本発明によれば、内鉢を単一に構成した一対の容器で構成することができるので、製作コストを低減することも可能となる。
【図面の簡単な説明】
図１は、本発明の植物栽培装置の構成を示す縦断面図である。
図２は、本発明の植物栽培装置の構成要素となる容器の斜視図である。
図３は、図２の容器の底面の構成を示す斜視図である。
図４は、図２の容器により内鉢を組み立てる状態を示す図である。
図５は、本発明の植物栽培装置の吸水体の接触面積を説明する模式図である。
図６は、吸水体の接触面積の程度を認識するための構成の例を示す斜視図である。
図７は、吸水体の接触面積の程度を認識するための構成の他の例を示す斜視図である。
図８は、本発明の植物栽培装置の構成要素となる容器の他の構成例を示す斜視図である。
図９は、図８の容器により内鉢を組み立てる状態を示す図である。
図１０は、図８の容器による植物栽培装置の吸水体の接触面積を説明する模式図である。
図１１は、従来の植物栽培装置の構成を示す縦断面図である。
符号の説明
Ａ１・Ａ２・・・・容器
Ｂ・・・・・・・・外鉢
Ｃ１・Ｃ２・・・・吸水体
１・・・・・・・・主体
２・・・・・・・・ステム
３・・・・・・・・外輪
４・・・・・・・・係止突起
４Ａ・・・・・・・頸部
５・・・・・・・・係止溝
６・・・・・・・・通孔
７・・・・・・・・掛止板
８・・・・・・・・通気孔
９・・・・・・・・通気路
１０・・・・・・・凹嵌部
１２・・・・・・・排水孔
１３・・・・・・・合いマーク
１４・・・・・・・目印
１５・・・・・・・凹嵌部
【図１】
2003034808.tif 000003
【図２】
2003034808.tif 000004
【図３】
2003034808.tif 000005
【図４】
2003034808.tif 000006
【図５】
2003034808.tif 000007
【図６】
2003034808.tif 000008
【図７】
2003034808.tif 000009
【図８】
2003034808.tif 000010
【図９】
2003034808.tif 000011
【図１０】
2003034808.tif 000012
【図１１】
2003034808.tif 000013
【国際調査報告】
2003034808.tif 000014
2003034808.tif 000015